(57)【特許請求の範囲】
【請求項１】
マット本体部と該マット本体部の周縁部に設けられた複数のマット縁部とからなり、前記マット本体部及び前記マット縁部を、透水性を有する袋体の中に小粒状物を入れて形成したことを特徴とする乳児用沐浴マット。
【請求項２】
板状物のマット本体部と該マット本体部の周縁部に設けられた複数の板状物のマット縁部とを有し、前記板状物のマット本体部及び前記板状物のマット縁部を、軟質樹脂或いは発泡樹脂で透水可能に形成したことを特徴とする乳児用沐浴マット。
【請求項３】
マット本体部と該マット本体部の周縁部に設けられた複数のマット縁部とを有し、前記マット本体部及び前記マット縁部のいずれか一方を、透水性を有する袋体の中に小粒状物を入れて形成し、他方を軟質樹脂或いは発泡樹脂又は繊維で透水可能に形成した板状物としたことを特徴とする乳児用沐浴マット。
【請求項４】
透水可能に形成した板状の前記マット本体部及びマット縁部を、透水性を有するカバーで覆ったことを特徴とする請求項２又は３に記載の乳児用沐浴マット。
【請求項５】
前記板状のマット本体部及びマット縁部は、上下面方向に多数の透水穴を有することを特徴とする請求項２、３又は４に記載の乳児用沐浴マット。
【発明の詳細な説明】
【０００１】
【発明の属する技術分野】
本発明は、乳児を沐浴させる際に用いられる乳児用沐浴マットに関する。
【０００２】
【従来の技術】
乳児の沐浴に、乳児一人が入る程度の大きさの凹部を有する沐浴用桶等が用いられているが、このような桶を用いての沐浴は、桶を床面に置いて乳児の頭部や首部を腕で支えながら行うため、乳児を洗うときの姿勢が前屈みになり、腰や背中に負担がかかって作業が大変である。このため、各種ゴム材料等で形成され、略中央部に排水のための穴を設けたシートを、洗面所・台所等のシンクの凹部に沿って敷設し、これによって形成された凹部に湯水を溜めて乳児を抱きかかえながら沐浴させる沐浴シートが提案されている（特開２０００−８３８５４号）。
【０００３】
【発明が解決しようとする課題】
しかしながら、このようなシートを用いて洗面所・台所等のシンクで乳児を沐浴させれば、乳児を沐浴させる際に前屈みにならず、楽な姿勢で沐浴させることができる点で作業が楽になるものの、依然として乳児を抱きかかえる腕に相当の負担がかかるため作業が大変である。
【０００４】
また、シートによって形成された凹部に溜まった湯水は、シートの略中央部に設けられた排水のための穴から流れ出るようになっているものの、排水のための穴は１箇所しか設けられておらず、該排水のための穴をシンクの排水口の上に位置するようにシートを設置しなければ、シートがシンクの排水口を塞ぎ、シンクの底面がシートの排水のための穴を塞ぐことになり、排水がスムーズに行われない。このため、湯水を流しながら沐浴をするとシンクから湯水が溢れてしまうおそれがあり、また、湯水を溜めた状態で沐浴した場合でも、沐浴終了後の排水がスムーズに行われず不便である。
【０００５】
また、各種ゴム材料で形成されたシートは石鹸がつくと滑りやすいとともにクッション性に乏しいため沐浴の際に乳児に打撲等の怪我をさせてしまうおそれがある。
【０００６】
本発明の目的は、排水性及びクッション性に優れるとともに乳児の沐浴をさせる者の負担を軽減することのできる乳児用沐浴マットを提供することにある。
【０００７】
【課題を解決するための手段】
上記目的を達成するため、請求項１に記載の乳児用沐浴マットは、マット本体部と該マット本体部の周縁部に設けられた複数のマット縁部とからなり、前記マット本体部及び前記マット縁部を、透水性を有する袋体の中に小粒状物を入れて形成したことを特徴とするものである。
【０００８】
このような乳児用沐浴マットは、マット本体部をシンクの底部に置き、マット縁部をシンクの側壁に沿って立ち上げてシンクに設置され、乳児の頭部が乳児用沐浴マットのマット縁部に、胴部がマット本体部に位置するようにして乳児用沐浴マットの上に乳児を寝かせた状態で沐浴を行うことができるので、乳児の頭部や首部を支える腕にかかる負担が相当軽減される。
また、マット本体部及びマット縁部は透水性を有する袋体の中に小粒状物を入れて形成されており、湯水が小粒状物の間から透水し、マット本体部及びマット縁部の全体から湯水が透水するので、湯水の排水がスムーズに行われる。
さらに、袋体の中に小粒状物を入れて形成されたマット本体部及びマット縁部は、石鹸を使用したとき、石鹸液が小粒状物の間に浸みこみ、マット本体部及びマット縁部の表面に石鹸膜が殆どできないので滑り難く、また、クッション性にも優れるので、かかるマット本体部及びマット縁部の上で乳児を沐浴させれば乳児に打撲等の怪我をさせるおそれが少ない。
また、乳児用沐浴マットをシンクに設置するとき、袋体内の小粒状物が自由に流動するので、シンクの形に合わせて容易に変形し、沐浴時に乳児の身体を包みこむようにして乳児の身体にフィットさせることができ、安定性がよい。
また、マット本体部及びマット縁部が透水性に優れているので水切れがよく、沐浴に使用した乳児用沐浴マットの乾燥時間が早く、そして脱水機等の使用により短時間で乾燥させることもでき、後片づけが簡単である。
【０００９】
請求項２に記載の乳児用沐浴マットは、板状物のマット本体部と該マット本体部の周縁部に設けられた複数の板状物のマット縁部とを有し、前記板状物のマット本体部及び前記板状物のマット縁部を、軟質樹脂或いは発泡樹脂で透水可能に形成したことを特徴とするものである。
【００１０】
かかる乳児用沐浴マットは、請求項１に記載の乳児用沐浴マットと同様、乳児用沐浴マットの上に乳児を寝かせた状態で沐浴を行うことができるので、乳児の頭部や首部を支える腕にかかる負担が相当軽減される。
また、軟質樹脂或いは発泡樹脂で透水可能に形成された板状物のマット本体部及びマット縁部の全体から湯水が透水するので、湯水の排水がスムーズに行われる。さらに、石鹸を使用したとき、マット本体部及びマット縁部が透水可能となっているので石鹸液がマット本体部及びマット縁部に浸みこみ、マット本体部及びマット縁部の表面に石鹸膜が殆どできないので滑り難く、また、クッション性にも優れるので、かかるマット本体部及びマット縁部の上で乳児を沐浴させれば乳児に打撲等の怪我をさせるおそれが少ない。また、マット本体部及びマット縁部が透水性に優れているので水切れがよく、沐浴に使用した乳児用沐浴マットの乾燥時間が早く、そして脱水機等の使用により短時間で乾燥させることもでき、後片づけが簡単である。
【００１１】
請求項３に記載の乳児用沐浴マットは、マット本体部と該マット本体部の周縁部に設けられた複数のマット縁部とを有し、前記マット本体部及び前記マット縁部のいずれか一方を、透水性を有する袋体の中に小粒状物を入れて形成し、他方を軟質樹脂或いは発泡樹脂又は繊維で透水可能に形成した板状物としたことを特徴とするものである。
【００１２】
かかる乳児用沐浴マットも、請求項１及び請求項２に記載の乳児用沐浴マットと同様、乳児用沐浴マットの上に乳児を寝かせた状態で沐浴を行うことができるので、乳児の頭部や首部を支える腕にかかる負担が相当軽減される。また、マット本体部とマット縁部の全体から湯水が透水するので、スムーズに湯水の排水が行われる。さらに、石鹸を使用したとき、マット本体部及びマット縁部が透水性を有するので、石鹸液がマット本体部及びマット縁部に浸みこみ、マット本体部及びマット縁部の表面に石鹸膜が殆どできないので滑り難く、また、クッション性にも優れるので、かかるマット本体部及びマット縁部の上で乳児を沐浴させれば乳児に打撲等の怪我をさせるおそれが少ない。また、マット本体部及びマット縁部が透水性に優れているので水切れがよく、沐浴に使用した乳児用沐浴マットの乾燥時間が早く、そして脱水機等の使用により短時間で乾燥させることもでき、後片づけが簡単である。
【００１３】
請求項４に記載の乳児用沐浴マットは、請求項２又は３に記載の透水可能に形成した板状物の前記マット本体部及びマット縁部を、透水性を有するカバーで覆ったことを特徴とするものである。
【００１４】
かかる乳児用沐浴マットは、板状物のマット本体部及びマット縁部をカバーで覆ったので、板状物のマット本体部及びマット縁部を容易に一体化することができるとともに、板状物のマット本体部及びマット縁部をカバーにより保護することができ、またカバーにより肌触りが良好となる。
【００１５】
請求項５に記載の乳児用沐浴マットは、請求項２、３又は４に記載の前記板状物のマット本体部及びマット縁部は、上下面方向に多数の透水穴を有することを特徴とするものである。
【００１６】
かかる乳児用沐浴マットは、板状物のマット本体部及びマット縁部が上下面方向に多数の透水穴を有するので、優れた透水性を有し、湯水の排水がスムーズに行われる。
【００１７】
【発明の実施の形態】
以下、本発明に係る乳児用沐浴マットの実施の形態の第１例について説明する。
図１は、本発明に係る乳児用沐浴マットの実施の形態の第１例を示す平面図、図２は図１のＡ−Ａ線拡大断面図、図３は図１のＢ−Ｂ線拡大断面図である。
【００１８】
これらの図に示された乳児用沐浴マット１は、矩形状のマット本体部２と該マット本体部２の周縁部に設けられた４つのマット縁部３ａ、３ｂ、３ｃ、３ｄとからなり、洗面所、台所等のシンクに設置して乳児の沐浴に使用される。
【００１９】
前記マット本体部２とマット縁部３ａ、３ｂ、３ｃ、３ｄは、透水性を有する布、例えばメッシュ状の布を２枚重ね合わせて外周縁部４を縫い合わせ、袋状のマット外皮５を形成し、このマット外皮５に複数の縫着部６を設け、縫着部６で囲まれる部分で形成される袋体７の中に小粒状物２９を入れて形成されている。
【００２０】
小粒状物２９の大きさは直径３〜５ｍｍで、その粒形としては球状、管状等様々な形状が考えられるが、角がない形状であることが好ましい。また、小粒状物２９は中空体であってもよい。
【００２１】
矩形状のマット本体部２の周縁部に設けられた４つのマット縁部３ａ、３ｂ、３ｃ、３ｄの隣接するマット縁部同士の間は、布が２枚重ねられた状態となっていても間に小粒状物２９が無く、乳児用沐浴マット１をシンクに設き、マット縁部３ａ、３ｂ、３ｃ、３ｄをシンクの側壁に沿って立ち上げるときに、マット縁部３ａ、３ｂ、３ｃ、３ｄの立ち上げを許容するようになっている。
【００２２】
このような乳児用沐浴マット１をシンクに設置して乳児を沐浴させる場合、マット本体部２をシンクの底面に置き、マット縁部３ａ、３ｂ、３ｃ、３ｄをシンクの側壁に沿って立ち上げ、頭部が乳児用沐浴マットのマット縁部３ｂ又は３ｄに、胴部がマット本体部２に位置するようにして乳児用沐浴マット１の上に乳児を寝かせる。そして、片方の手の指で乳児の後頭部を押さえ軽く支え、シンクに備え付けの給水口や給湯口から湯水を供給して沐浴を行う。
【００２３】
このように乳児を乳児用沐浴マット１の上に寝かせた状態で沐浴させることができるので、乳児の頭部や首部を支える腕にかかる負担が相当軽減される。
【００２４】
また、マット本体部２及びマット縁部３ａ、３ｂ、３ｃ、３ｄは透水性を有する袋体７の中に小粒状物２９を入れて形成されており、湯水が小粒状物２９の間から透水し、マット本体部２及びマット縁部３ａ、３ｂ、３ｃ、３ｄの全体から湯水が透水するので、湯水の排水がスムーズに行われる。
【００２５】
さらに、袋体７の中に小粒状物２９を入れて形成されたマット本体部２及びマット縁部３ａ、３ｂ、３ｃ、３ｄは、石鹸を使用したとき、石鹸液が小粒状物２９の間に浸みこみ、マット本体部２及びマット縁部３ａ、３ｂ、３ｃ、３ｄの表面に石鹸膜が殆どできないので滑り難く、また、クッション性にも優れるので、かかるマット本体部２及びマット縁部３ａ、３ｂ、３ｃ、３ｄの上で乳児を沐浴させれば乳児に打撲等の怪我をさせるおそれが少ない。
【００２６】
また、乳児用沐浴マット１をシンクに設置するとき、袋体７内の小粒状物２９が自由に流動するので、シンクの形に合わせて容易に変形し、沐浴時に乳児の身体を包みこむようにして乳児の身体にフィットさせることができ、安定性がよい。また、マット本体部２及びマット縁部３ａ、３ｂ、３ｃ、３ｄが透水性に優れているので水切れがよく、沐浴に使用した乳児用沐浴マットの乾燥時間が早く、そして脱水機等の使用により短時間で乾燥させることもでき、後片づけが簡単である。
【００２７】
次に図４、図５、図６に基づいて本発明の実施の形態の第２例について説明する。
図４は、本発明に係る乳児用沐浴マットの実施の形態の第２例を示す平面図、図５は図４のＣ−Ｃ線拡大断面図、図６は図４のＤ−Ｄ線拡大断面図である。
【００２８】
本例の乳児用沐浴マット１０も、第１例と同様、矩形状のマット本体部１１と該マット本体部１１の周縁部に設けられた４つのマット縁部１２ａ、１２ｂ、１２ｃ、１２ｄとを有しているが、マット本体部１１とマット縁部１２ａ、１２ｂ、１２ｃ、１２ｄは板状物３０となっていて、軟質樹脂或いは発泡樹脂又は繊維で形成されている。前記マット本体部１１及びマット縁部１２ａ、１２ｂ、１２ｃ、１２ｄは、上下面方向に多数の透水穴１３を有していて、透水可能となっている。
【００２９】
前記マット本体部１１及びマット縁部１２ａ、１２ｂ、１２ｃ、１２ｄは、適宜手段によって、一体に接続されている。本例では前記マット本体部１１及びマット縁部１２ａ、１２ｂ、１２ｃ、１２ｄは、透水性を有する布、例えばメッシュ状の布を２枚重ね合わせて外周縁部１４を縫い合わせ、さらに複数の縫着部１５を設けて、該複数の縫着部１５によって形成された袋状のカバー１６でそれぞれ覆われて一体となっている。このように、マット本体部１１及びマット縁部１２ａ、１２ｂ、１２ｃ、１２ｄを袋状のカバー１６でそれぞれ覆うことにより容易に一体に形成することができるとともに、板状物のマット本体部１１及びマット縁部１２ａ、１２ｂ、１２ｃ、１２ｄをカバー１６により保護することができ、またカバー１６により肌触りが良好となる。
【００３０】
かかる本発明の実施の形態の第２例の乳児用沐浴マット１０も第１例と同様にして洗面所及び台所等のシンクに設置され、乳児の沐浴に使用されるものであり、乳児を乳児用沐浴マット１０の上に寝かせた状態で沐浴させることができるので、乳児の頭部や首部を支える腕にかかる負担が相当軽減される。
【００３１】
また、マット本体部１１及びマット縁部１２ａ、１２ｂ、１２ｃ、１２ｄは上下面方向に多数の透水穴１３を有し透水可能となっており、透水性を有するカバー１６で覆われているので、湯水がカバー１６から、マット本体部１１及びマット縁部１２ａ、１２ｂ、１２ｃ、１２ｄに有する多数の透水穴１３を通るようにして、マット本体部２及びマット縁部３ａ、３ｂ、３ｃ、３ｄの全体から湯水が透水するので、湯水の排水がスムーズに行われる。
【００３２】
さらに、マット本体部１１及びマット縁部１２ａ、１２ｂ、１２ｃ、１２ｄは、石鹸を使用したとき、石鹸液がマット本体部１１及びマット縁部１２ａ、１２ｂ、１２ｃ、１２ｄに有する多数の透水穴１３に浸みこみ、マット本体部１１及びマット縁部１２ａ、１２ｂ、１２ｃ、１２ｄの表面に石鹸膜が殆どできないので滑り難く、また、クッション性にも優れるので、かかるマット本体部１１及びマット縁部１２ａ、１２ｂ、１２ｃ、１２ｄの上で乳児を沐浴させれば乳児に打撲等の怪我をさせるおそれが少ない。
【００３３】
また、マット本体部１１及びマット縁部１２ａ、１２ｂ、１２ｃ、１２ｄが透水性に優れているので水切れがよく、沐浴に使用した乳児用沐浴マットの乾燥時間が早く、そして脱水機等の使用により短時間で乾燥させることもでき、後片づけが簡単である。
【００３４】
次に図７、図８、図９に基づいて本発明の実施の形態の第３例について説明する。
図７は、本発明に係る乳児用沐浴マットの実施の形態の第３例を示す平面図、図８は図７のＥ−Ｅ線拡大断面図、図９は図７のＦ−Ｆ線断面図である。
【００３５】
本例の乳児用沐浴マット２０も、他の実施の形態と同様マット本体部２１と該マット本体部２１の周縁部に設けられた４つのマット縁部２２ａ、２２ｂ、２２ｃ、２２ｄとを有している。
【００３６】
マット本体部２１は、板状物３０となっていて、軟質樹脂或いは発泡樹脂又は繊維で形成され、上下面方向に多数の透水穴２３を有している。マット縁部２２ａ、２２ｂ、２２ｃ、２２ｄは、透水性を有する布、例えばメッシュ状の布を２枚重ね合わせて外周縁部２４を縫い合わせて袋状のマット外皮２５を形成し、このマット外皮２５に複数の縫着部２６を設け、該縫着部２６で囲まれる部分で形成される袋体２７の中に小粒状物２９を入れて形成されている。
【００３７】
第１例と同様、小粒状物の大きさは直径３〜５ｍｍで、その粒形としては球状、管状等様々な形状が考えられるが、角がない形状であることが好ましい。また、小粒状物は中空体であってもよい。
【００３８】
マット外皮２５は、縫着部２６で囲まれる部分で形成される袋状のカバー２８を有していて、マット本体部２１はかかるカバー２８によって覆われ、このカバー２８によりマット縁部２２ａ、２２ｂ、２２ｃ、２２ｄと一体に形成されている。
【００３９】
かかる本発明の実施の形態の第３例の乳児用沐浴マット２０も他の実施の形態と同様にして洗面所及び台所等のシンクに設置され、乳児の沐浴に使用されるものであり、乳児を乳児用沐浴マット２０の上に寝かせた状態で沐浴させることができるので、乳児の頭部や首部を支える腕にかかる負担が相当軽減される。
【００４０】
また、マット本体部２１は、板状物３０となっていて、軟質樹脂或いは発泡樹脂又は繊維で形成され、上下面方向に多数の透水穴２３を有しており、そして、マット縁部２２ａ、２２ｂ、２２ｃ、２２ｄは、透水性を有する布、例えばメッシュ状の布を２枚重ね合わせて外周縁部２４を縫い合わせて袋状のマット外皮２５を形成し、このマット外皮２５に複数の縫着部２６を設け、該縫着部２６で囲まれる部分で形成される袋体２７の中に小粒状物２９を入れて形成されているので、マット本体部２１及びマット縁部２２ａ、２２ｂ、２２ｃ、２２ｄの全体から湯水が透水するので、湯水の排水がスムーズに行われる。
【００４１】
さらに、マット本体部２１及びマット縁部２２ａ、２２ｂ、２２ｃ、２２ｄは、石鹸を使用したとき、石鹸液がマット本体部２１及びマット縁部２２ａ、２２ｂ、２２ｃ、２２ｄに浸みこみ、マット本体部２１及びマット縁部２２ａ、２２ｂ、２２ｃ、２２ｄの表面に石鹸膜が殆どできないので滑り難く、また、クッション性にも優れるので、かかるマット本体部２１及びマット縁部２２ａ、２２ｂ、２２ｃ、２２ｄの上で乳児を沐浴させれば乳児に打撲等の怪我をさせるおそれが少ない。
【００４２】
また、マット本体部２１及びマット縁部２２ａ、２２ｂ、２２ｃ、２２ｄが透水性に優れているので水切れがよく、沐浴に使用した乳児用沐浴マットの乾燥時間が早く、そして脱水機等の使用により短時間で乾燥させることもでき、後片づけが簡単である。
【００４３】
【発明の効果】
以上説明したように、請求項１に係る発明によれば、マット本体部をシンクの底部に置き、マット縁部をシンクの側壁に沿って立ち上げてシンクに設置され、乳児の頭部が乳児用沐浴マットのマット縁部に、胴部がマット本体部に位置するようにして乳児用沐浴マットの上に乳児を寝かせた状態で沐浴を行うことができるので、乳児の頭部や首部を支える腕にかかる負担を相当軽減することができる。また、マット本体部及びマット縁部は透水性を有する袋体の中に小粒状物を入れて形成されており、湯水が小粒状物の間から透水し、マット本体部及びマット縁部の全体から湯水が透水するので、湯水の排水をスムーズに行うことができる。さらに、袋体の中に小粒状物を入れて形成されたマット本体部及びマット縁部は、石鹸を使用したとき、石鹸液が小粒状物の間に浸みこみ、マット本体部及びマット縁部の表面に石鹸膜が殆どできないので滑り難く、また、クッション性にも優れるので、かかるマット本体部及びマット縁部の上で乳児を沐浴させれば乳児に打撲等の怪我をさせるおそれが少なく安全性に優れている。また、乳児用沐浴マットをシンクに設置するとき、袋体内の小粒状物が自由に流動するので、シンクの形に合わせて容易に変形し、沐浴時に乳児の身体を包みこむようにして乳児の身体にフィットさせることができ、安定性がよい。また、マット本体部及びマット縁部が透水性に優れているので水切れがよく、沐浴に使用した乳児用沐浴マットの乾燥時間が早く、そして脱水機等の使用により短時間で乾燥させることもでき、後片づけを簡単に行うことができる。
【００４４】
請求項２に係る発明によれば、乳児用沐浴マットの上に乳児を寝かせた状態で沐浴を行うことができるので、乳児の頭部や首部を支える腕にかかる負担を相当軽減することができる。また、軟質樹脂或いは発泡樹脂で透水可能に形成された板状物のマット本体部及びマット縁部の全体から湯水が透水するので、湯水の排水がスムーズに行われる。さらに、石鹸を使用したとき、マット本体部及びマット縁部が透水可能となっているので石鹸液がマット本体部及びマット縁部に浸みこみ、マット本体部及びマット縁部の表面に石鹸膜が殆どできないので滑り難く、また、クッション性にも優れるので、かかるマット本体部及びマット縁部の上で乳児を沐浴させれば乳児に打撲等の怪我をさせるおそれが少なく安全性に優れる。また、マット本体部及びマット縁部が透水性に優れているので水切れがよく、沐浴に使用した乳児用沐浴マットの乾燥時間が早く、そして脱水機等の使用により短時間で乾燥させることもでき、後片づけを簡単に行うことができる。
【００４５】
請求項３に係る発明によれば、乳児用沐浴マットの上に乳児を寝かせた状態で沐浴を行うことができるので、乳児の頭部や首部を支える腕にかかる負担を相当軽減することができる。また、マット本体部とマット縁部の全体から湯水が透水するので、スムーズに湯水の排水が行われる。さらに、石鹸を使用したとき、マット本体部及びマット縁部が透水性を有するので、石鹸液がマット本体部及びマット縁部に浸みこみ、マット本体部及びマット縁部の表面に石鹸膜が殆どできないので滑り難く、また、クッション性にも優れるので、かかるマット本体部及びマット縁部の上で乳児を沐浴させれば乳児に打撲等の怪我をさせるおそれが少なく安全性にすぐれる。また、マット本体部及びマット縁部が透水性に優れているので水切れがよく、沐浴に使用した乳児用沐浴マットの乾燥時間が早く、そして脱水機等の使用により短時間で乾燥させることもでき、後片づけを簡単におこなうことができる。
【００４６】
請求項４に係る発明によれば、板状物のマット本体部及びマット縁部をカバーで覆ったので、板状物のマット本体部及びマット縁部を容易に一体化することができるとともに、板状物のマット本体部及びマット縁部をカバーにより保護することができ、またカバーにより肌触りが良好となる。
【００４７】
請求項５に係る発明によれば、板状物のマット本体部及びマット縁部が上下面方向に多数の透水穴を有するので、優れた透水性を有し、湯水の排水がスムーズに行われる。
【図面の簡単な説明】
【図１】本発明に係る乳児用沐浴マットの実施の形態の第１例を示す平面図である。
【図２】図１のＡ−Ａ線拡大断面図である。
【図３】図１のＢ−Ｂ線拡大断面図である。
【図４】本発明に係る乳児用沐浴マットの実施の形態の第２例を示す平面図である。
【図５】図４のＣ−Ｃ線拡大断面図である。
【図６】図４のＤ−Ｄ線拡大断面図である。
【図７】本発明に係る乳児用沐浴マットの実施の形態の第３例を示す平面図である。
【図８】図７のＥ−Ｅ線拡大断面図である。
【図９】図７のＦ−Ｆ線断面図である。
【符号の説明】
１、１０、２０    乳児用沐浴マット
２、１１、２１    マット本体部
３ａ、３ｂ、３ｃ、３ｄ、１２ａ、１２ｂ、１２ｃ、１２ｄ、２２ａ、２２ｂ、２２ｃ、２２ｄ    マット縁部
４、１４、２４    外周縁部
５、２５    マット外皮
６、１５、２６    縫着部
７、２７    袋体
１３、２３    透水穴
１６、２８    カバー
２９  小粒状物
３０  板状物
【図１】
0004143282.tif 000002
【図２】
0004143282.tif 000003
【図３】
0004143282.tif 000004
【図４】
0004143282.tif 000005
【図５】
0004143282.tif 000006
【図６】
0004143282.tif 000007
【図７】
0004143282.tif 000008
【図８】
0004143282.tif 000009
【図９】
0004143282.tif 000010